(57)【要約】【課題】複数の周波数帯域におけるゲインの設定値の間の相対的な関係を維持したまま、１つの操作で、これら複数のゲインの設定値を変更することのできる音声再生装置を提供する。【解決手段】音声再生装置は、複数の周波数帯域のゲインの設定値が個別に表示されたイコライザ設定画面を表示する、設定表示手段と、前記イコライザ設定画面に表示されている前記ゲインの設定値を、個別にプラス方向に移動する、第１移動手段と、前記イコライザ設定画面に表示されている前記ゲインの設定値を、個別にマイナス方向に移動する、第２移動手段と、前記イコライザ設定画面に表示されている前記複数のゲインの設定値の間の相対的な関係を維持したまま、前記複数のゲインをプラス方向に移動する、第３移動手段と、前記イコライザ設定画面に表示されている前記複数のゲインの設定値の間の相対的な関係を維持したまま、前記複数のゲインをマイナス方向に移動する、第４移動手段と、を備えて構成されている。【選択図】図１
2007195120.tif 000002
【特許請求の範囲】
【請求項１】
複数の周波数帯域のゲインの設定値が個別に表示されたイコライザ設定画面を表示する、設定表示手段と、
前記イコライザ設定画面に表示されている前記ゲインの設定値を、個別にプラス方向に移動する、第１移動手段と、
前記イコライザ設定画面に表示されている前記ゲインの設定値を、個別にマイナス方向に移動する、第２移動手段と、
前記イコライザ設定画面に表示されている前記複数のゲインの設定値の間の相対的な関係を維持したまま、前記複数のゲインをプラス方向に移動する、第３移動手段と、
前記イコライザ設定画面に表示されている前記複数のゲインの設定値の間の相対的な関係を維持したまま、前記複数のゲインをマイナス方向に移動する、第４移動手段と、
を備えることを特徴とする音声再生装置。
【請求項２】
前記設定表示手段は、
前記イコライザ設定画面に、前記複数のゲインの設定値を表す目盛りを表示する、目盛り表示手段と、
前記複数のゲインの設定値を、前記目盛り上に視覚的に表示する、視覚表示手段と、
前記視覚的に表された前記複数のゲインの設定値を、結びつける連結図形を表示する、連結図形表示手段と、
を備えることを特徴とする請求項１に記載の音声再生装置。
【請求項３】
前記第３移動手段は、ユーザが、前記連結図形をプラス方向に移動した場合に、前記イコライザ設定画面に表示されている前記複数のゲインの設定値の間の相対的な関係を維持したまま、前記複数のゲインをプラス方向に移動し、
前記第４移動手段は、ユーザが、前記連結図形をマイナス方向に移動した場合に、前記イコライザ設定画面に表示されている前記複数のゲインの設定値の間の相対的な関係を維持したまま、前記複数のゲインをマイナス方向に移動する、
ことを特徴とする請求項２に記載の音声再生装置。
【請求項４】
前記イコライザ設定画面は、タッチパネルで構成された表示画面に表示されており、
ユーザが、前記イコライザ設定画面に表示された前記連結図形をタッチして、ドラッグすることにより、前記連結図形をプラス方向及びマイナス方向に移動可能である、ことを特徴とする請求項３に記載の音声再生装置。
【請求項５】
ユーザが、前記イコライザ設定画面に表示された前記連結図形をボタン操作により選択し、前記連結図形が選択されている状態で、この連結図形を移動するボタン操作をすることにより、前記連結図形をプラス方向及びマイナス方向に移動可能である、ことを特徴とする請求項３に記載の音声再生装置。
【請求項６】
前記１移動手段又は前記第２移動手段により、前記ゲインの設定値が個別にプラス方向又はマイナス方向に移動した場合には、前記連結図形表示手段は、視覚的に表された移動後のゲインの設定値を、結びつける連結図形を再び表示する、ことを特徴とする請求項２乃至請求項５のいずれかに記載の音声再生装置。
【請求項７】
前記連結図形は、視覚的に表示された前記複数のゲインの設定値を囲う線により構成されている、ことを特徴とする請求項２乃至請求項６のいずれかに記載の音声再生装置。
【請求項８】
前記複数のゲインの設定値が予め登録された複数のモードを備えており、ユーザは、モードボタンを操作することにより、これら複数のモードのいずれかを選択することが可能である、ことを特徴とする請求項１乃至請求項７のいずれかに記載の音声再生装置。
【請求項９】
複数の周波数帯域のゲインの設定値が個別に表示されたイコライザ設定画面を表示するステップと、
ユーザから第１入力を受けた場合に、前記イコライザ設定画面に表示されている前記ゲインの設定値を、個別にプラス方向に移動するステップと、
ユーザから第２入力を受けた場合に、前記イコライザ設定画面に表示されている前記ゲインの設定値を、個別にマイナス方向に移動するステップと、
ユーザから第３入力を受けた場合に、前記イコライザ設定画面に表示されている前記複数のゲインの設定値の間の相対的な関係を維持したまま、前記複数のゲインをプラス方向に移動するステップと、
ユーザから第４入力を受けた場合に、前記イコライザ設定画面に表示されている前記複数のゲインの設定値の間の相対的な関係を維持したまま、前記複数のゲインをマイナス方向に移動するステップと、
を備えることを特徴とする音声再生装置の制御方法。
【請求項１０】
複数の周波数帯域のゲインの設定値が個別に表示されたイコライザ設定画面を表示するステップと、
ユーザから第１入力を受けた場合に、前記イコライザ設定画面に表示されている前記ゲインの設定値を、個別にプラス方向に移動するステップと、
ユーザから第２入力を受けた場合に、前記イコライザ設定画面に表示されている前記ゲインの設定値を、個別にマイナス方向に移動するステップと、
ユーザから第３入力を受けた場合に、前記イコライザ設定画面に表示されている前記複数のゲインの設定値の間の相対的な関係を維持したまま、前記複数のゲインをプラス方向に移動するステップと、
ユーザから第４入力を受けた場合に、前記イコライザ設定画面に表示されている前記複数のゲインの設定値の間の相対的な関係を維持したまま、前記複数のゲインをマイナス方向に移動するステップと、
を音声再生装置に実行させるためのプログラム。
【請求項１１】
複数の周波数帯域のゲインの設定値が個別に表示されたイコライザ設定画面を表示するステップと、
ユーザから第１入力を受けた場合に、前記イコライザ設定画面に表示されている前記ゲインの設定値を、個別にプラス方向に移動するステップと、
ユーザから第２入力を受けた場合に、前記イコライザ設定画面に表示されている前記ゲインの設定値を、個別にマイナス方向に移動するステップと、
ユーザから第３入力を受けた場合に、前記イコライザ設定画面に表示されている前記複数のゲインの設定値の間の相対的な関係を維持したまま、前記複数のゲインをプラス方向に移動するステップと、
ユーザから第４入力を受けた場合に、前記イコライザ設定画面に表示されている前記複数のゲインの設定値の間の相対的な関係を維持したまま、前記複数のゲインをマイナス方向に移動するステップと、
を音声再生装置に実行させるためのプログラムが記録された記録媒体。
【発明の詳細な説明】
【技術分野】
【０００１】
本発明は、音声再生装置に関し、特に、イコライズ機能を備えた音声再生装置に関する。
【背景技術】
【０００２】
液晶表示装置などの表示画面も備えた小型の音声再生装置が広く普及してきている。このような小型の音声再生装置においても、ユーザの好みの音質で音楽などの音声が再生できるように、イコライズ機能が装備されている。
【０００３】
イコライズ機能は、低音域や高音域などの特定の周波数帯域のゲインを上昇させ、或いは低下させることにより、ユーザの好みの音質で音声を再生したり、ヘッドホンやスピーカなどの特性を補ったりするために、使用されている。
【０００４】
小型で持ち運びのできる音声再生装置においても、ユーザの様々な音質の好みに対応するため、低音域、中音域、高音域などの複数の周波数帯域でゲインの調整が可能になっていることが多い。このような音声再生装置においては、ユーザは、低音域が物足りなく感じる場合、低音域のゲインを上げ、高音域の音が耳につき過ぎる場合、高音域のゲインを下げるなどして、自分の好みの音で音声が再生できるようにする。
【０００５】
ここで、個人個人が感じる好みの音は一律ではなく、また、同じ人間でも、その時に聞く音楽のジャンルや、その日の体調、気分、環境などにより、変化してしまうものである。したがって、イコライザ設定は、こまめにストレス無く変更できるように、できるだけ簡単に設定できることが望ましい。
【０００６】
特開平５−７１１６号公報（特許文献１）では、視覚的にイコライザ設定の状態を表示して、ユーザに周波数特性が目で見えるようにすることにより、イコライザ設定の容易化を図っている。しかし、この特開平５−７１１６号公報のイコライザ設定においては、１つ１つの周波数帯域のゲインを個別に設定しなければならず、１つの操作で、複数の周波数帯域のゲインをまとめて変更することはできない。また、複数の周波数帯域のゲインを個別に移動させる必要があることから、各ゲインの設定値の間の相対的な関係を維持したまま、各ゲインの設定値を変更することは必ずしも容易ではない。
【特許文献１】特開平５−７１１６号公報
【発明の開示】
【発明が解決しようとする課題】
【０００７】
そこで本発明は、前記課題に鑑みてなされたものであり、複数の周波数帯域におけるゲインの設定値の間の相対的な関係を維持したまま、１つの操作で、これら複数のゲインの設定値を変更することのできる音声再生装置を提供することを目的とする。
【課題を解決するための手段】
【０００８】
上記課題を解決するため、本発明に係る音声再生装置は、
複数の周波数帯域のゲインの設定値が個別に表示されたイコライザ設定画面を表示する、設定表示手段と、
前記イコライザ設定画面に表示されている前記ゲインの設定値を、個別にプラス方向に移動する、第１移動手段と、
前記イコライザ設定画面に表示されている前記ゲインの設定値を、個別にマイナス方向に移動する、第２移動手段と、
前記イコライザ設定画面に表示されている前記複数のゲインの設定値の間の相対的な関係を維持したまま、前記複数のゲインをプラス方向に移動する、第３移動手段と、
前記イコライザ設定画面に表示されている前記複数のゲインの設定値の間の相対的な関係を維持したまま、前記複数のゲインをマイナス方向に移動する、第４移動手段と、
を備えることを特徴とする。
【０００９】
この場合、前記設定表示手段は、
前記イコライザ設定画面に、前記複数のゲインの設定値を表す目盛りを表示する、目盛り表示手段と、
前記複数のゲインの設定値を、前記目盛り上に視覚的に表示する、視覚表示手段と、
前記視覚的に表された前記複数のゲインの設定値を、結びつける連結図形を表示する、連結図形表示手段と、
を備えるようにしてもよい。
【００１０】
この場合、前記第３移動手段は、ユーザが、前記連結図形をプラス方向に移動した場合に、前記イコライザ設定画面に表示されている前記複数のゲインの設定値の間の相対的な関係を維持したまま、前記複数のゲインをプラス方向に移動し、
前記第４移動手段は、ユーザが、前記連結図形をマイナス方向に移動した場合に、前記イコライザ設定画面に表示されている前記複数のゲインの設定値の間の相対的な関係を維持したまま、前記複数のゲインをマイナス方向に移動するようにしてもよい。
【００１１】
この場合、前記イコライザ設定画面は、タッチパネルで構成された表示画面に表示されており、
ユーザが、前記イコライザ設定画面に表示された前記連結図形をタッチして、ドラッグすることにより、前記連結図形をプラス方向及びマイナス方向に移動可能であるようにしてもよい。
【００１２】
或いは、ユーザが、前記イコライザ設定画面に表示された前記連結図形をボタン操作により選択し、前記連結図形が選択されている状態で、この連結図形を移動するボタン操作をすることにより、前記連結図形をプラス方向及びマイナス方向に移動可能であるようにしてもよい。
【００１３】
また、前記１移動手段又は前記第２移動手段により、前記ゲインの設定値が個別にプラス方向又はマイナス方向に移動した場合には、前記連結図形表示手段は、視覚的に表された移動後のゲインの設定値を、結びつける連結図形を再び表示するようにしてもよい。
【００１４】
また、前記連結図形は、視覚的に表示された前記複数のゲインの設定値を囲う線により構成されているようにしてもよい。
【００１５】
また、前記複数のゲインの設定値が予め登録された複数のモードを備えており、ユーザは、モードボタンを操作することにより、これら複数のモードのいずれかを選択することが可能であるようにしてもよい。
【００１６】
本発明に係る音声再生装置の制御方法は、
複数の周波数帯域のゲインの設定値が個別に表示されたイコライザ設定画面を表示するステップと、
ユーザから第１入力を受けた場合に、前記イコライザ設定画面に表示されている前記ゲインの設定値を、個別にプラス方向に移動するステップと、
ユーザから第２入力を受けた場合に、前記イコライザ設定画面に表示されている前記ゲインの設定値を、個別にマイナス方向に移動するステップと、
ユーザから第３入力を受けた場合に、前記イコライザ設定画面に表示されている前記複数のゲインの設定値の間の相対的な関係を維持したまま、前記複数のゲインをプラス方向に移動するステップと、
ユーザから第４入力を受けた場合に、前記イコライザ設定画面に表示されている前記複数のゲインの設定値の間の相対的な関係を維持したまま、前記複数のゲインをマイナス方向に移動するステップと、
を備えることを特徴とする。
【００１７】
本発明に係るプログラムは、
複数の周波数帯域のゲインの設定値が個別に表示されたイコライザ設定画面を表示するステップと、
ユーザから第１入力を受けた場合に、前記イコライザ設定画面に表示されている前記ゲインの設定値を、個別にプラス方向に移動するステップと、
ユーザから第２入力を受けた場合に、前記イコライザ設定画面に表示されている前記ゲインの設定値を、個別にマイナス方向に移動するステップと、
ユーザから第３入力を受けた場合に、前記イコライザ設定画面に表示されている前記複数のゲインの設定値の間の相対的な関係を維持したまま、前記複数のゲインをプラス方向に移動するステップと、
ユーザから第４入力を受けた場合に、前記イコライザ設定画面に表示されている前記複数のゲインの設定値の間の相対的な関係を維持したまま、前記複数のゲインをマイナス方向に移動するステップと、
を音声再生装置に実行させることを特徴とする。
【００１８】
本発明に係る記録媒体は、
複数の周波数帯域のゲインの設定値が個別に表示されたイコライザ設定画面を表示するステップと、
ユーザから第１入力を受けた場合に、前記イコライザ設定画面に表示されている前記ゲインの設定値を、個別にプラス方向に移動するステップと、
ユーザから第２入力を受けた場合に、前記イコライザ設定画面に表示されている前記ゲインの設定値を、個別にマイナス方向に移動するステップと、
ユーザから第３入力を受けた場合に、前記イコライザ設定画面に表示されている前記複数のゲインの設定値の間の相対的な関係を維持したまま、前記複数のゲインをプラス方向に移動するステップと、
ユーザから第４入力を受けた場合に、前記イコライザ設定画面に表示されている前記複数のゲインの設定値の間の相対的な関係を維持したまま、前記複数のゲインをマイナス方向に移動するステップと、
を音声再生装置に実行させるためのプログラムが記録されたことを特徴とする。
【発明を実施するための最良の形態】
【００１９】
以下、図面を参照して、本発明の実施形態を説明する。なお、以下に説明する実施形態は、本発明の技術的範囲を限定するものではない。
【００２０】
〔第１実施形態〕
図１は、本実施形態に係る情報端末１０の外観斜視図であり、図２は、図１の情報端末１０の内部構成の一例を説明するブロック図である。
【００２１】
図１に示すように、本実施形態に係る情報端末１０は、その前面に表示画面を兼ねたタッチパネル２０を備えている。このタッチパネル２０における表示画面は、例えばＬＣＤ（Liquid Crystal Display）により構成されている。本実施形態では、このタッチパネル２０には、ユーザが指でタッチする場合やタッチペンを用いてタッチする場合などが想定されている。
【００２２】
また、この情報端末１０におけるタッチパネル２０右側には、ユーザインターフェースとして、電源ボタンＢ１０と、決定ボタンＢ１１と、キャンセルボタンＢ１２と、上側設定移動ボタンＢ１３と、下側設定移動ボタンＢ１４と、右側設定移動ボタンＢ１５と、左側設定移動ボタンＢ１６とが、設けられている。
【００２３】
電源ボタンＢ１０は、この情報端末１０の電源をオンにする場合や、オフにする場合に押下されるボタンである。決定ボタンＢ１１は、ユーザがこの情報端末１０について各種の操作をしている際に、その操作や設定を最終的に有効にする場合に、押下されるボタンである。キャンセルボタンＢ１２は、ユーザがこの情報端末１０について各種の操作をしている際に、その操作や設定を無効にする場合に、押下されるボタンである。
【００２４】
上側設定移動ボタンＢ１３と、下側設定移動ボタンＢ１４と、右側設定移動ボタンＢ１５と、左側設定移動ボタンＢ１６は、カーソルなどを、それぞれ、上側、下側、右側、左側に移動する場合に、押下されるボタンである。
【００２５】
なお、この図１に示した情報端末１０は、音声を再生する音声再生装置の一例であり、ここでは、音楽や静止画、動画などを再生できる小型の携帯型ストレージデバイスを想定している。
【００２６】
図２に示すように、情報端末１０は、その内部に、ＣＰＵ（Central Processing Unit）３０と、ＲＯＭ（Read Only Memory）３２と、ＲＡＭ（Random Access Memory）３４と、ハードディスクドライブ３６とを備えて構成されており、これらは互いに内部バスを介して接続されている。
【００２７】
また、この情報端末１０は、ビデオデコーダ３８を備えている。ビデオデコーダ３８は、ＣＰＵ３０から、ハードディスクドライブ３６に格納されている動画データや静止画データを受け取って、このデータを再生することにより、タッチパネル２０の表示画面に動画や静止画を表示する。特に本実施形態においては、後述するイコライザ設定画面も表示する。
【００２８】
さらに、この情報端末１０は、デジタル音声信号処理部４０と、デジタルボリューム４２と、デジタル／アナログコンバータ４４と、音声増幅器４６とを備えている。デジタル音声信号処理部４０は、例えばＤＳＰ（Digital Signal Processor）により構成されており、ＣＰＵ３０を介して、ハードディスクドライブ３６に格納されている音声データを取得する。ここで、音声データとは、音声を再生するために必要なデータであり、音声を再生するのに必要な信号をデジタル化したデータである。必要に応じて、この音声データは圧縮されて、そのデータサイズの縮小化が図られている。また、ここで、音声とは、音楽や人の声や物音などを含む広い概念を意味している。
【００２９】
デジタル音声信号処理部４０は、音声データを取得すると、この音声データが圧縮されている場合はこれを伸張する。そして、音声データのデコードを行い、ＰＣＭ（Pulse Code Modulation）化された状態のデジタルの音声データを生成する。また、ユーザが行ったイコライザ設定に基づいて、各周波数帯域のゲインを調整する。本実施形態では、高音域のゲインと中音域のゲインと低音域のゲインとを、イコライザ設定画面でなされた設定値に基づいて、調整する。このイコライズ処理を行ったデジタルの音声データは、デジタルボリューム４２に出力される。
【００３０】
デジタルの音声データを取得したデジタルボリューム４２では、ユーザがこの情報端末１０に対して行っているボリューム設定に基づいて、音声データのボリュームを調整する。デジタルボリューム４２は、ユーザが設定したボリューム値をＣＰＵ３０から取得する。このボリューム調整されたデジタルの音声データは、デジタル／アナログコンバータ４４に出力される。
【００３１】
デジタルの音声データを取得したデジタル／アナログコンバータ４４では、このデジタルの音声データをアナログ信号に変換して、音声増幅器４６に出力する。音声増幅器４６では、このアナログ信号の音声を増幅して、スピーカ出力端子５０と、ヘッドホン出力端子５２と、ライン出力端子５４とに出力する。このため、例えば、この情報端末１０のスピーカ出力端子５０にスピーカが接続されていれば、そのスピーカから再生された音声が出力される。また、この情報端末１０のヘッドホン出力端子５２にヘッドホンが接続されていれば、そのヘッドホンから再生された音声が出力される。
【００３２】
ユーザがボタンＢ１０〜１６を操作したり、タッチパネル２０を操作したりすると、その入力は、ユーザインターフェースからの入力として、ＣＰＵ３０に取り込まれる。この取り込んだユーザからの入力に基づいて、ＣＰＵ３０は、各種の必要な処理を実行する。
【００３３】
次に、タッチパネル２０の表示画面に表示されるイコライザ設定画面の構成と、その操作方法を説明する。
【００３４】
図３は、タッチパネル２０の表示画面に表示されるイコライザ設定画面Ｗ１０の一例を示す図である。本実施形態では、この図３に示した設定値の状態のイコライザ設定画面Ｗ１０が、初期状態として表示される。すなわち、これが本実施形態におけるノーマルモードの状態である。
【００３５】
この図３に示すように、本実施形態に係る情報端末１０のイコライザ設定画面Ｗ１０には、高音域のゲインの設定値と、中音域のゲインの設定値と、低音域のゲインの設定値とが、視覚的に表示されている。そして、このイコライザ設定画面Ｗ１０では、高音域のゲインと、中音域のゲインと、低音域のゲインとが、独立に設定できるように構成されている。
【００３６】
すなわち、タッチパネル２０を用いて、ポイントＰ１０をプラス方向に移動させることにより、高音域のゲインの設定値が増大し、ポイントＰ１０をマイナス方向に移動させることにより、高音域のゲインの設定値が減少する。同様に、タッチパネル２０を用いて、ポイントＰ１２をプラス方向に移動させることにより、中音域のゲインの設定値が増大し、ポイントＰ１２をマイナス方向に移動させることにより、中音域のゲインの設定値が減少する。タッチパネル２０を用いて、ポイントＰ１４をプラス方向に移動させることにより、高音域のゲインの設定値が増大し、ポイントＰ１４をマイナス方向に移動させることにより、高音域のゲインの設定値が減少する。
【００３７】
さらに、本実施形態に係るイコライザ設定画面Ｗ１０には、各ポイントを囲う枠Ｆ１０が表示される。この枠Ｆ１０は、３つのポイントＰ１０、Ｐ１２、Ｐ１４の相対的な位置関係を維持したまま、ゲインを増大させたり、減少させたりする場合に用いられる。すなわち、ユーザが枠Ｆ１０をプラス方向に移動させると、３つのポイントＰ１０、Ｐ１２、Ｐ１４が相対的な位置関係を維持したまま、プラス方向に移動し、ユーザが枠Ｆ１０をマイナス方向に移動させると、３つのポイントＰ１０、Ｐ１２、Ｐ１４が相対的な位置関係を維持したまま、マイナス方向に移動する。
【００３８】
具体例をあげて説明すると、例えば、図４に示すようなイコライザ設定画面Ｗ１０において、ユーザが枠Ｆ１０をプラス方向に２目盛り移動させると、この枠Ｆ１０に含まれているポイントＰ１０、Ｐ１２、Ｐ１４もぞれぞれプラス方向に２目盛り移動して、図５に示すような状態となる。一方、図４に示すようなイコライザ設定画面Ｗ１０において、ユーザが枠Ｆ１０をマイナス方向に２目盛り移動させると、この枠Ｆ１０に含まれているポイントＰ１０、Ｐ１２、Ｐ１４もぞれぞれマイナス方向に２目盛り移動して、図６に示すような状態となる。
【００３９】
本実施形態では、枠Ｆ１０を移動させる場合には、その枠Ｆ１０に含まれているいずれか１つのポイントがプラス方向の上限に到達した場合、又は、その枠Ｆ１０に含まれているいずれか１つのポイントがマイナス方向の下限に到達した場合には、枠Ｆ１０はそれ以上、移動させることができないこととしている。
【００４０】
例えば、図５に示すイコライザ設定画面Ｗ１０において、ユーザが枠Ｆ１０をさらにプラス方向に移動させようとしても、ポイントＰ１４がすでにプラス方向の上限に到達しているので、これ以上、枠Ｆ１０をプラス方向に移動させることはできない。
【００４１】
同様に、図６に示すイコライザ設定画面Ｗ１０において、ユーザが枠Ｆ１０をさらにマイナス方向に移動させようとしても、ポイントＰ１２がすでにマイナス方向の下限に到達しているので、これ以上、枠Ｆ１０をマイナス方向に移動させることはできない。
【００４２】
なお、ポイントＰ１０、Ｐ１２、Ｐ１４のいずれかが設定値の上限や下限に到達してしまった場合に、それでもユーザが枠Ｆ１０を移動する入力を続ける場合には、設定値の上限や下限に到達していないポイントだけを、指定された方向に移動させるように設計することもできる。例えば、図６に示した設定値の状態で、ユーザがさらに枠Ｆ１０をマイナス方向に移動した場合には、まだ下限値に到達していないポイントＰ１０、Ｐ１４だけをマイナス方向に移動するように設計することもできる。
【００４３】
また、例えば、図６に示すイコライザ設定画面Ｗ１０において、ユーザが中音域のポイントＰ１２だけをプラス方向に３目盛り移動させた場合には、低音域のポイントＰ１０と高音域のポイントＰ１６は移動しないので、図７に示すような状態となる。この図７から分かるように、情報端末１０は、移動後のポイントＰ１０、Ｐ１２、Ｐ１４を囲うように、枠Ｆ１０を描画し直す。
【００４４】
図８は、本実施形態に係るイコライザ設定画面Ｗ１０において、枠Ｆ１０の描画位置の決定手法を一例として説明するための図である。
【００４５】
図８に示すように、本実施形態では、ポイントＰ１０からプラス方向にＸだけ離れた位置Ｘ１と、ポイントＰ１２からプラス方向にＸだけ離れた位置Ｘ２とを通るように直線ＬＮ１を描画する。また、この位置Ｘ２と、ポイントＰ１４からプラス方向にＸだけ離れた位置Ｘ３とを通るように直線ＬＮ２を描画する。
【００４６】
同様に、ポイントＰ１０からマイナス方向にＸだけ離れた位置Ｘ４と、ポイントＰ１２からマイナス方向にＸだけ離れた位置Ｘ５とを通るように直線ＬＮ３を描画する。また、この位置Ｘ５と、ポイントＰ１４からマイナス方向にＸだけ離れた位置Ｘ６とを通るように直線ＬＮ４を描画する。
【００４７】
さらに、直線ＬＮ１と上側閉止線ＵＬ１とが交わる位置Ｘ７と、直線ＬＮ３と上側閉止線ＵＬ１とが交わる位置Ｘ８とを結ぶように、直線ＬＮ５を描画する。同様に、直線ＬＮ２と下側閉止線ＵＬ２とが交わる位置Ｘ９と、直線ＬＮ４と下側閉止線ＵＬ２とが交わる位置Ｘ１０とを結ぶように、直線ＬＮ６を描画する。このように描画した６本の直線ＬＮ１〜ＬＮ６により、枠Ｆ１０が構成される。
【００４８】
なお、枠Ｆ１０は、各ポイントＰ１０、Ｐ１２、Ｐ１４を視覚的に結びつけるための連結図形の一例であり、この連結図形は必ずしも枠Ｆ１０のような各ポイントＰ１０、Ｐ１２、１４を囲う直線図形でなくともよい。例えば、連結図形は、各ポイントＰ１０、Ｐ１２、Ｐ１４を串刺しする直線で表現することもできる。
【００４９】
また、各周波数帯域のゲインの設定値を視覚的に表示するポイントＰ１０、Ｐ１２、Ｐ１４の表示形態も任意に変更可能であり、例えば、三角や星印などで表示することもできる。
【００５０】
さらに、本実施形態に係るイコライザ設定画面Ｗ１０には、モードボタンＢ２０が設けられている。このモードボタンＢ２０をユーザがタッチすると、タッチする度に、ノーマルモード→ロックモード→クラシックモード→ノーマルモードの順に、変化する。すなわち、情報端末１０には、予め、ノーマルモード、ロックモード及びクラシックモードについてのイコライザ設定の設定値が登録されており、この登録されている設定値をモードボタンＢ２０にタッチすることにより、順番に呼び出すことができる。
【００５１】
本実施形態では、例えば、ノーマルモードは図３に示すようなイコライザ設定になっている。このノーマルモードが初期状態である。そして、ユーザがモードボタンＢ２０にタッチすると、イコライザ設定画面Ｗ１０は図９に示すようなゲイン設定値のロックモードに移行する。そして、ユーザがモードボタンＢ２０にタッチすると、イコライザ設定画面Ｗ１０は図１０に示すようなゲイン設定値のクラシックモードに移行する。さらに、ユーザがモードボタンＢ２０にタッチすると、図３に示したノーマルモードに戻る。
【００５２】
また、本実施形態では、各モードに移行すると、そのモード表示ＭＩがモードボタンＢ２０に隣接して表示される。すなわち、図３に示すように、イコライザ設定がノーマルモードである場合には、「ノーマル」のモード表示ＭＩが表示される。図９に示すように、イコライザ設定がロックモードである場合には、「ロック」のモード表示ＭＩが表示される。図１０に示すように、イコライザ設定がクラシックモードである場合には、「クラシック」のモード表示ＭＩが表示される。これらのモード表示ＭＩは、各ゲインの設定値が各モードから外れた場合には、自動的に消去される。
【００５３】
このようにして、イコライザ設定画面Ｗ１０でユーザが各ゲインの設定値を変更した場合、その変更した設定値でイコライズした音声が、直ぐさま、情報端末１０から出力される。このため、ユーザは、情報端末１０から出力される音声が自分の好みの音質であるかどうかを判断しながら、随時、各周波数帯域のゲインの設定値を調整することができる。
【００５４】
イコライザ設定画面Ｗ１０によるイコライズ設定の概略的な操作は以上であるが、次に、この情報端末１０によるイコライザ設定のための処理を詳細に説明する。
【００５５】
図１１は、本実施形態に係る情報端末１０が実行するイコライザ設定メイン処理の内容を説明するフローチャートを示す図である。このイコライザ設定メイン処理は、ＲＯＭ３２又はハードディスクドライブ３６に格納されているイコライザ設定メイン処理プログラムをＣＰＵ３０が読み込んで実行することにより、実現される処理である。また、このイコライザ設定メイン処理は、ユーザが、タッチパネル２０を適宜操作して、情報端末１０にイコライザ設定を行う指示を入力した場合に起動される処理である。
【００５６】
このイコライザ設定メイン処理が起動されると、図１１に示すように、情報端末１０は、まず、タッチパネル２０の表示画面にイコライザ設定画面Ｗ１０を表示する（ステップＳ１０）。
【００５７】
次に、情報端末１０は、タッチパネル２０から何らかの入力あったかどうかを判断する（ステップＳ１２）。タッチパネル２０から入力がない場合（ステップＳ１２：ＮＯ）には、このステップＳ１２を繰り返して待機する。
【００５８】
一方、タッチパネル２０から何らかの入力があった場合（ステップＳ１２：ＹＥＳ）には、その入力が枠Ｆ１０の選択であるかどうかを判断する（ステップＳ１４）。すなわち、ユーザがタッチパネル２０の表示画面に表示されている枠Ｆ１０にタッチすると、この枠Ｆ１０が選択されるので、情報端末１０は、この枠Ｆ１０にタッチがされたかどうかを判断する。
【００５９】
枠Ｆ１０が選択された場合（ステップＳ１２：ＹＥＳ）には、枠の移動処理に移行する（ステップＳ１６）。そして、この枠の移動処理が終了した後に、ステップＳ１２に戻る。
【００６０】
一方、枠Ｆ１０が選択されていない場合（ステップＳ１２：ＮＯ）には、情報端末１０は、タッチパネル２０から入力がポイントＰ１０、Ｐ１２、Ｐ１４のいずれかの選択であるかどうかを判断する（ステップＳ１８）。すなわち、ユーザがタッチパネル２０の表示画面に表示されているポイントＰ１０、Ｐ１２、Ｐ１４のいずれかにタッチすると、タッチしたポイントが選択されるので、情報端末１０は、これらいずれかのポイントがタッチされたかどうかを判断する。
【００６１】
ポイントＰ１０、Ｐ１２、Ｐ１４のいずれかが選択された場合（ステップＳ１８：ＹＥＳ）には、ポイントの移動処理に移行する（ステップＳ２０）。そして、このポイントの移動処理が終了した後に、ステップ１２に戻る。
【００６２】
一方、ポイントが選択されていない場合（ステップＳ１８：ＮＯ）には、モードボタンＢ２０が押下されたかどうかを判断する（ステップＳ２２）。すなわち、ユーザがタッチパネル２０の表示画面に表示されているモードボタンＢ２０にタッチすると、モードボタンＢ２０が押下されたことになるので、情報端末１０は、このモードボタンＢ２０がタッチされたかどうかを判断する。
【００６３】
モードボタンＢ２０が押下された場合（ステップＳ２２：ＹＥＳ）には、情報端末１０は、モード変更処理に移行する（ステップＳ２４）。そして、このモード変更処理が終了した後に、ステップＳ１２に戻る。
【００６４】
一方、モードボタンＢ２０が押下されていない場合（ステップＳ２２：ＮＯ）には、何の処理もすることなく、ステップＳ１２に戻る。すなわち、ユーザが誤って無関係な部分をタッチしたと考えて、何の処理もせずに、ステップＳ１２に戻り、次の入力を待つ。
【００６５】
次に、図１２に基づいて、ステップＳ１６における枠の移動処理について詳細に説明する。この図１２は、本実施形態に係る情報端末１０が実行する枠の移動処理の内容を説明するフローチャートを示す図である。この枠の移動処理は、ＲＯＭ３２又はハードディスクドライブ３６に格納されている枠の移動処理プログラムをＣＰＵ３０が読み込んで実行することにより、実現される処理である。
【００６６】
ステップＳ１６において、この枠の移動処理が起動されると、図１２に示すように、情報端末１０は、まず、イコライザ設定画面Ｗ１０にモード表示ＭＩがなされている場合には、このモード表示を消去する（ステップＳ３０）。
【００６７】
次に、情報端末１０は、選択された枠Ｆ１０を移動可能状態に移行する（ステップＳ３２）。移動可能状態になると、枠Ｆ１０は、ユーザがドラッグすることにより移動できるようになる。また、移動可能状態で移動先にタッチすると、そのタッチした位置に、枠Ｆ１０が移動するようになる。この場合、本実施形態では、タッチした位置が枠Ｆ１０の中心に位置するように、枠Ｆ１０を移動する。また、本実施形態では、移動可能状態になったことをユーザが認識できるように、例えば、通常は黒色で表示されている枠Ｆ１０を、移動可能状態になった場合には、赤色で表示することとしている。
【００６８】
次に、情報端末１０は、移動可能状態にした枠Ｆ１０がユーザにより移動されたかどうかを判断する（ステップＳ３４）。枠Ｆ１０が移動された場合（ステップＳ３４：ＹＥＳ）には、その枠Ｆ１０に含まれているポイントＰ１０、Ｐ１２、Ｐ１４の設定値のいずれかが、プラス方向の上限値を超えているか、或いは、マイナス方向の下限値を超えているかどうかを判断する（ステップＳ３６）。
【００６９】
枠Ｆ１０に含まれているポイントＰ１０、Ｐ１２、Ｐ１４の設定値がいずれも、プラス方向の上限値を超えておらず、且つ、マイナス方向の下限値を超えていない場合（ステップＳ３６：ＮＯ）には、移動先に枠Ｆ１０を設定とともに、その枠Ｆ１０に含まれているポイントＰ１０、Ｐ１２、Ｐ１４も枠Ｆ１０に合わせて移動させる（ステップＳ３８）。これにより、枠Ｆ１０に合わせて、高音域のゲインと中音域のゲインと低音域のゲインとが設定される。
【００７０】
一方、枠Ｆ１０に含まれているポイントＰ１０、Ｐ１２、Ｐ１４の設定値のいずれかが、プラス方向の上限値を超えているか、或いは、マイナス方向の下限値を超えている場合（ステップＳ３６：ＹＥＳ）には、プラス方向の上限、或いは、マイナス方向の下限に枠Ｆ１０を移動する（ステップＳ４０）。
【００７１】
本実施形態では、プラス方向の上限値は「＋３」であり、マイナス方向の下限値は「−３」である。したがって、ポイントＰ１０、Ｐ１２、Ｐ１４のうち最大の設定値のものが、プラス方向の上限値である「＋３」を超えないように設定され、これに合わせて枠Ｆ１０が設定され、この枠Ｆ１０に合わせて、これ以外のポイントの設定値が設定される。また、ポイントＰ１０、Ｐ１２、Ｐ１４のうち最小の設定値のものが、マイナス方向の下限値である「−３」を超えないように設定され、これに合わせて枠Ｆ１０が設定され、この枠Ｆ１０に合わせて、これ以外のポイントの設定値が設定される。これにより、枠Ｆ１０に含まれるポイントＰ１０、Ｐ１２、Ｐ１４の設定値が、上限値である「＋３」の目盛りを超えないようになり、また、下限値である「−３」を超えないようになる。
【００７２】
これに対して、ステップＳ３４において、枠Ｆ１０が移動されていないと判断した場合（ステップＳ３４：ＮＯ）には、決定ボタンＢ１１が押下されたかどうかを判断する（ステップＳ４２）。決定ボタンＢ１１が押下されていない場合（ステップＳ４２：ＮＯ）には、上述したステップＳ３４に戻り、枠Ｆ１０が移動されるのを待つ。
【００７３】
一方、決定ボタンＢ１１が押下された場合（ステップＳ４２：ＹＥＳ）には、選択された枠Ｆ１０の移動可能状態を解除する（ステップＳ４４）。移動可能状態が解除されると、このことがユーザに分かるように、選択されていた枠Ｆ１０の色は、例えば、赤から黒に戻る。これにより、この枠の移動処理を終了する。
【００７４】
次に、図１３に基づいて、ステップＳ２０におけるポイントの移動処理について詳細に説明する。この図１３は、本実施形態に係る情報端末１０が実行するポイントの移動処理の内容を説明するフローチャートを示す図である。このポイントの移動処理は、ＲＯＭ３２又はハードディスクドライブ３６に格納されているポイントの移動処理プログラムをＣＰＵ３０が読み込んで実行することにより、実現される処理である。
【００７５】
ステップＳ２０において、このポイントの移動処理が起動されると、図１３に示すように、情報端末１０は、まず、イコライザ設定画面Ｗ１０にモード表示ＭＩがなされている場合には、このモード表示を消去する（ステップＳ５０）。
【００７６】
次に、情報端末１０は、選択されたポイントを移動可能状態に移行する（ステップＳ５２）。移動可能状態になると、ポイントは、ユーザがドラッグすることにより移動できるようになる。また、移動可能状態で移動先にタッチすると、そのタッチした位置に、ポイントが移動するようになる。例えば、ユーザが高音域のゲインを調整するために、ポイントＰ１０にタッチしたとすると、このポイントＰ１０が移動可能状態になる。本実施形態では、ポイントが移動可能状態になったことをユーザが認識できるように、例えば、通常は黒色で表示しているポイントを、赤色で表示する。
【００７７】
次に、情報端末１０は、移動可能状態にしたポイントがユーザにより移動されたかどうかを判断する（ステップＳ５４）。ポイントが移動された場合（ステップＳ５４：ＹＥＳ）には、移動先にポイントを移動する（ステップＳ５６）。
【００７８】
次に、情報端末１０は、移動されたポイントに合わせて、枠Ｆ１０を移動して変形する（ステップＳ５８）。すなわち、移動後のポイントＰ１０、Ｐ１２、Ｐ１４を囲うように、枠Ｆ１０を描画しなおす。そして、上述したステップＳ５４に戻る。
【００７９】
これに対して、ステップＳ５４において、選択されたポイントが移動されていないと判断した場合（ステップＳ５４：ＮＯ）には、決定ボタンＢ１１が押下されたかどうかを判断する（ステップＳ６０）。決定ボタンＢ１１が押下されていない場合（ステップＳ６０：ＮＯ）には、上述したステップＳ５４に戻り、ポイントが移動されるのを待つ。
【００８０】
一方、決定ボタンＢ１１が押下された場合（ステップＳ６０：ＹＥＳ）には、選択されたポイントの移動可能状態を解除する（ステップＳ６２）。移動可能状態が解除されると、このことがユーザに分かるように、選択されていたポイントの色は、例えば、赤から黒に戻る。これにより、このポイントの移動処理を終了する。
【００８１】
次に、図１４に基づいて、ステップＳ２４におけるモード変更処理について詳細に説明する。この図１４は、本実施形態に係る情報端末１０が実行するモード変更処理の内容を説明するフローチャートを示す図である。このモード変更処理は、ＲＯＭ３２又はハードディスクドライブ３６に格納されているモード変更処理プログラムをＣＰＵ３０が読み込んで実行することにより、実現される処理である。
【００８２】
ステップＳ２４において、このモード変更処理が起動されると、図１４に示すように、情報端末１０は、まず、イコライザ設定が現在、ノーマルモードであるかどうかを判断する（ステップＳ８０）。現在、ノーマルモードである場合（ステップＳ８０：ＮＯ）には、情報端末１０は、イコライザ設定をロックモードに移行する（ステップＳ８２）。ロックモードに移行することにより、モード表示ＭＩも「ロック」に切り替わる。そして、モード変更処理を終了する。
【００８３】
一方、現在、ノーマルモードでない場合（ステップＳ８０：ＮＯ）には、情報端末１０は、イコライザ設定が現在、ロックモードであるかどうかを判断する（ステップＳ８４）。現在、ロックモードである場合（ステップＳ８４：ＹＥＳ）には、情報端末１０は、イコライザ設定をクラシックモードに移行する（ステップＳ８６）。クラシックモードに移行することにより、モード表示ＭＩも「クラシック」に切り替わる。そして、モード変更処理を終了する。
【００８４】
一方、現在、ロックモードでない場合（ステップＳ８４：ＮＯ）には、情報端末１０は、イコライザ設定が現在、クラシックモードであるかどうかを判断する（ステップＳ８８）。現在、クラシックモードである場合（ステップＳ８８：ＹＥＳ）には、情報端末１０は、イコライザ設定をノーマルモードに移行する（ステップＳ９０）。ノーマルモードに移行することにより、モード表示ＭＩも「ノーマル」に切り替わる。そして、モード変更処理を終了する。
【００８５】
一方、現在、クラシックモードでない場合（ステップＳ８８：ＮＯ）には、現在のイコライザ設定がいずれのモードにも属さないこととなるので、初期状態であるノーマルモードに移行する（ステップＳ９２）。ノーマルモードに移行することにより、モード表示ＭＩも「ノーマル」に切り替わる。そして、モード変更処理を終了する。
【００８６】
なお、これらステップＳ８８からステップＳ９２の処理から分かるように、現時点のモードがロックモードでないと判断した場合（ステップＳ８４：ＮＯ）には、現時点のモードがクラシックモードであるかどうかに拘わらずノーマルモードに移行することになることから、ステップＳ８８の判断をすることなく、イコライザ設定をノーマルモードに移行するような設計にすることも可能である。
【００８７】
以上のように、本実施形態に係る情報端末１０によれば、イコライザ設定画面Ｗ１０において、枠Ｆ１０をユーザが移動した場合には、この枠Ｆ１０に含まれているポイントＰ１０、Ｐ１２、Ｐ１４も付随して移動するようにしたので、高音域、中音域及び低音域におけるゲインの相対的な関係を維持したまま、高音域、中音域及び低音域のゲインの設定値をまとめて、上げたり下げたりすることができるようになる。このため、イコライザ設定を行う際のユーザの操作性を向上させることができる。
【００８８】
また、高音域、中音域及び低音域のポイントＰ１０、Ｐ１２、Ｐ１４を個別に調整した場合には、枠Ｆ１０も自動的にこれに合わせて変形するようにしたので、各周波数帯域のゲインの設定値を個別調整した後にも、枠Ｆ１０を用いて容易に、高音域、中音域及び低音域におけるゲインの相対的な関係を維持したまま、高音域、中音域及び低音域のゲインをまとめて、上げたり下げたりすることができるようになる。
【００８９】
〔第２実施形態〕
上述した第１実施形態では、情報端末１０の表示画面がタッチパネル２０で構成されている実施形態を説明したが、第２実施形態では、表示画面がタッチパネルでない場合の実施形態を説明する。
【００９０】
図１５は、第２実施形態に係る情報端末１０の外観斜視図であり、上述した第１実施形態における図１に対応する図である。
【００９１】
この図１５に示すように、本実施形態では、情報端末１０は、タッチパネルでない通常の表示画面２２０を備えている。この通常の表示画面２２０は、例えば、ＬＣＤ（Liquid Crystal Display）により構成されている。
【００９２】
また、この図１５から分かるように、本実施形態に係る情報端末１０は、ユーザインターフェースとして、メニューボタンＢ３０とモードボタンＢ３１とが追加して設けられている。メニューボタンＢ３０は、表示画面２２０にユーザがメニュー画面を表示しようとする場合に、押下されるボタンである。モードボタンＢ３１は、ユーザがイコライザ設定におけるモードを切り替えようとする場合に押下されるボタンであり、上述した第１実施形態におけるモードボタンＢ２０に対応している。
【００９３】
図１６は、第２実施形態に係る情報端末１０の内部構成の一例を示すブロック図であり、上述した第１実施形態における図２に対応する図である。
【００９４】
この図１６に示すように、本実施形態では、タッチパネル２０の代わりに、通常の表示画面２２０が設けられている。また、ＣＰＵ３０に入力されるユーザインターフェースには、メニューボタンＢ３０とモードボタンＢ３１の操作による入力が追加されることになる。
【００９５】
なお、本実施形態に係る表示画面２２０に表示されるイコライザ設定画面Ｗ１０は、概略的には、上述した第１実施形態と同様であるが、モードボタンＢ２０がイコライザ設定画面Ｗ１０に表示されない点で相違している。
【００９６】
図１７は、本実施形態に係る表示画面２２０に表示されるイコライザ設定画面Ｗ１０の一例を示す図である。この図１７に示すように、本実施形態においては、イコライザ設定画面Ｗ１０には、モード表示ＭＩは表示されるが、モードボタンＢ２０は表示されない。
【００９７】
また、表示画面２２０にイコライザ設定画面Ｗ１０が表示された状態で、ユーザが、下側設定移動ボタンＢ１４を押下すると、設定値の変更ができる選択項目が、高音域→中音域→低音域→枠→高音域の順に、順番に切り替わる。ここでは、このような順番で選択項目が移動することを、下流方向に移動すると表現することとする。
【００９８】
また、本実施形態では、選択項目がどれであるかがユーザに分かるように、高音域が選択されている場合は、高音域のポイントＰ１０の表示色を黒から赤に切り替え、中音域が選択されている場合は、中音域のポイントＰ１２の表示色を黒から赤に切り替え、低音域が選択されている場合は、低音域のポイントＰ１４の表示色を黒から赤に切り替え、枠Ｆ１０が選択されている場合は、枠Ｆ１０の表示色を黒から赤に切り替える。
【００９９】
一方、表示画面２２０にイコライザ設定画面Ｗ１０が表示された状態で、ユーザが、上側設定移動ボタンＢ１３を押下すると、設定値の変更ができる選択項目が、低音域→中音域→高音域→枠→低音域の順に、順番に切り替わる。ここでは、このような順番で選択項目が移動することを、上流方向に移動すると表現することとする。
【０１００】
そして、例えば、図１８に示すようなイコライザ設定画面Ｗ１０で、枠Ｆ１０が選択項目である状態において、ユーザが、右側設定移動ボタンＢ１５を２回押下すると、枠Ｆ１０全体が右側に２目盛り移動して、イコライザ設定画面Ｗ１０は図１９に示すような状態となる。この図１９のイコライザ設定画面Ｗ１０では、低音域のポイントＰ１４が既に上限値の「＋３」であるので、これ以上、プラス方向に枠Ｆ１０を移動することはできない。
【０１０１】
逆に、図１８に示すようなイコライザ設定画面Ｗ１０で、枠Ｆ１０が選択項目である状態において、ユーザが、左側設定移動ボタンＢ１６を２回押下すると、枠Ｆ１０全体が左側に２目盛り移動して、イコライザ設定画面Ｗ１０は図２０に示すような状態となる。この図２０のイコライザ設定画面Ｗ１０では、中音域のポイントＰ１２が既に下限値の「−３」であるので、これ以上、マイナス方向に枠Ｆ１０を移動することはできない。
【０１０２】
また、この図２０に示すようなイコライザ設定画面Ｗ１０で、中音域のポイントＰ１２が選択項目である状態において、ユーザが、右側設定移動ボタンＢ１５を３回押下すると、中音域のポイントＰ１２だけが、右側に３目盛り移動して、図２１に示すような状態となる。
【０１０３】
ユーザが予め情報端末１０に登録されているモードのゲイン設定値を用いる場合には、モードボタンＢ３１を押下する。すなわち、第１実施形態と同様に、ユーザがモードボタンＢ３１を押下する度に、モードが、ノーマルモード→ロックモード→クラシックモード→ノーマルモードの順に切り替わる。
【０１０４】
イコライザ設定画面Ｗ１０によるイコライズ設定の概略的な操作は以上であるが、次に、この情報端末１０によるイコライザ設定のための処理を詳細に説明する。
【０１０５】
図１２は、本実施形態に係る情報端末１０が実行するイコライザ設定メイン処理の内容を説明するフローチャートを示す図である。このイコライザ設定メイン処理は、ＲＯＭ３２又はハードディスクドライブ３６に格納されているイコライザ設定メイン処理プログラムをＣＰＵ３０が読み込んで実行することにより、実現される処理である。また、このイコライザ設定メイン処理は、ユーザが、メニューボタンＢ２０を押下することにより表示されるメニュー画面を適宜操作して、情報端末１０にイコライザ設定を行う指示を入力した場合に起動される処理である。
【０１０６】
このイコライザ設定メイン処理が起動されると、図２２に示すように、情報端末１０は、まず、表示画面２２０にイコライザ設定画面Ｗ１０を表示する（ステップＳ２００）。
【０１０７】
次に、情報端末１０は、下側設定移動ボタンＢ１４が押下されたかどうかを判断する（ステップＳ２０２）。下側設定移動ボタンＢ１４が押下された場合（ステップＳ２０２：ＹＥＳ）には、選択している設定項目を下流方向に１つ移動する（ステップＳ２０４）。そして、上述したステップＳ２０２に戻る。
【０１０８】
一方、下側設定移動ボタンＢ１４が押下されていない場合（ステップＳ２０２：ＮＯ）には、情報端末１０は、上側設定移動ボタンＢ１３が押下されたかどうかを判断する（ステップＳ２０６）。上側設定移動ボタンＢ１３が押下された場合（ステップＳ２０６：ＹＥＳ）には、選択している設定項目を上流方向に１つ移動する（ステップＳ２０８）。そして、上述したステップＳ２０２に戻る。
【０１０９】
一方、上側設定移動ボタンＢ１３が押下されていない場合（ステップＳ２０６：ＮＯ）には、情報端末１０は、右側設定移動ボタンＢ１５が押下されたかどうかを判断する（ステップＳ２１０）。右側設定移動ボタンＢ１５が押下された場合（ステップＳ２１０：ＹＥＳ）には、選択している設定項目を１つプラス方向に移動する（ステップＳ２１２）。例えば、枠Ｆ１０が選択されている場合には、この枠Ｆ１０全体をプラス方向に１目盛り移動する。この枠Ｆ１０の移動に伴い、この枠Ｆ１０に含まれているポイントＰ１０、Ｐ１２、Ｐ１４もそれぞれプラス方向に１目盛り移動する。
【０１１０】
但し、上述したように、枠Ｆ１０に含まれているポイントＰ１０、Ｐ１２、Ｐ１４のいずれかが、プラス方向の上限値である「＋３」に到達した場合には、これ以上、枠Ｆ１０をプラス方向には移動できないこととしている。
【０１１１】
また、例えばポイントＰ１０が選択されている場合には、このポイントＰ１０だけをプラス方向に１目盛り移動するとともに、移動後のポイントを囲うように、枠Ｆ１０を描画し直す。但し、上述したように、ポイントＰ１０がプラス方向の上限値である「＋３」に到達した場合には、これ以上、ポイントＰ１０をプラス方向には移動できないこととしている。
【０１１２】
一方、右側設定移動ボタンＢ１４が押下されていない場合（ステップＳ２１０：ＮＯ）には、情報端末１０は、左側設定移動ボタンＢ１６が押下されたかどうかを判断する（ステップＳ２１４）。左側設定移動ボタンＢ１６が押下された場合（ステップＳ２１４：ＹＥＳ）には、選択している設定項目を１つマイナス方向に移動する（ステップＳ２１６）。例えば、枠Ｆ１０が選択されている場合には、この枠Ｆ１０全体をマイナス方向に１目盛り移動する。この枠Ｆ１０の移動に伴い、この枠Ｆ１０に含まれているポイントＰ１０、Ｐ１２、Ｐ１４もそれぞれマイナス方向に１目盛り移動する。
【０１１３】
但し、上述したように、枠Ｆ１０に含まれているポイントＰ１０、Ｐ１２、Ｐ１４のいずれかが、マイナス方向の下限値である「−３」に到達した場合には、これ以上、枠Ｆ１０をマイナス方向には移動できないこととしている。
【０１１４】
また、例えばポイントＰ１０が選択されている場合には、このポイントＰ１０だけをマイナス方向に１目盛り移動するとともに、移動後のポイントを囲うように、枠Ｆ１０を描画し直す。但し、上述したように、ポイントＰ１０がマイナス方向の下限値である「−３」に到達した場合には、これ以上、ポイントＰ１０をマイナス方向には移動できないこととしている。
【０１１５】
一方、左側設定移動ボタンＢ１６が押下されていない場合（ステップＳ２１４：ＮＯ）には、情報端末１０は、モードボタンＢ３１が押下されたかどうかを判断する（ステップＳ２１８）。モードボタンＢ３１が押下された場合（ステップＳ２１８：ＹＥＳ）には、モード変更処理を実行する（ステップＳ２２０）。このステップＳ２２０で実行されるモード変更処理の内容は、上述した第１実施形態における図１４と同様である。
【０１１６】
一方、モードボタンＢ３１が押下されていない場合（ステップＳ２１８：ＮＯ）には、上述したステップＳ２０２に戻る。
【０１１７】
以上のように、本実施形態に係る情報端末１０によっても、イコライザ設定画面Ｗ１０において、枠Ｆ１０をユーザが移動した場合には、この枠Ｆ１０に含まれているポイントＰ１０、Ｐ１２、Ｐ１４も付随して移動するようにしたので、高音域、中音域及び低音域におけるゲインの相対的な関係を維持したまま、高音域、中音域及び低音域のゲインをまとめて、上げたり下げたりすることができるようになる。このため、イコライザ設定を行う際のユーザの操作性を向上させることができる。
【０１１８】
また、本実施形態の情報端末１０は、タッチパネル２０を必要としないので、情報端末１０の部品コストや製造コストを低減することができる。
【０１１９】
なお、本発明は上記実施形態に限定されず種々に変形可能である。例えば、上述した枠Ｆ１０やポイントＰ１０、Ｐ１２、Ｐ１４の移動手法は、単なる一例であり、様々な手法によりこれらの移動を実現することが可能である。
【０１２０】
また、上述した実施形態では、高音域、中音域及び低音域の３つの周波数帯域でゲイン設定を行うイコライザ設定を例に本発明を説明したが、２以上の複数の周波数帯域でゲイン設定を行うイコライザ設定であれば本発明を適用することができる。
【０１２１】
また、第２実施形態の表示画面２２０は、タッチパネルではないと説明したが、これを第１実施形態と同様にタッチパネル２０で構成することも可能である。この場合、第２実施形態に第１実施形態を組み合わせることが可能となる。すなわち、ユーザは、タッチパネル２０による操作でも、ボタンＢ１１〜Ｂ１６、Ｂ３０、Ｂ３１による操作でも、イコライザ設定画面Ｗ１０のゲイン設定をできるようになる。
【０１２２】
また、上述した実施形態では、ポイントＰ１０、Ｐ１２、Ｐ１４は、それぞれ、−３、−２、−１、０、＋１、＋２、＋３の目盛り位置にのみ設定できることを前提として説明したが、これら目盛りの途中にも設定できるように設計してもよい。
【０１２３】
また、各ゲインの設定値を視覚的に表示するための目盛りの表示態様は、様々なものが考えられ、上述した実施形態は一例に過ぎない。例えば、−３、−２、−１、０、＋１、＋２、＋３などの数値は表示しないようにすることもできる。或いは、逆に、これらの数値は表示するが、各周波数帯域の数直線は表示しないようにすることもできる。
【０１２４】
また、上述した実施形態では、ゲインの設定を変更する際にポイントＰ１０、Ｐ１２、Ｐ１４や枠Ｆ１０を移動する方向は、横方向になる例を説明したが、この移動方向は任意に設定可能である。例えば、ゲインの設定を変更する際にポイントＰ１０、Ｐ１２、Ｐ１４や枠Ｆ１０を縦方向に移動させるようにすることも可能である。
【０１２５】
また、上述した実施形態では、音声再生装置として、小型の情報端末１０を例にあげて本発明を説明したが、パーソナルコンピュータやノートパソコンなどの他の装置により、音声再生装置を構成してもよい。
【０１２６】
また、上述の実施形態で説明した各処理については、これら各処理を実行するためのプログラムをフレキシブルディスク、ＣＤ−ＲＯＭ（Compact Disc-Read Only Memory）、ＲＯＭ、メモリカード等の記録媒体に記録して、記録媒体の形で頒布することが可能である。この場合、この記録媒体に記録されたプログラムを情報端末１０に読み込ませ、実行させることにより、上述した実施形態を実現することができる。
【０１２７】
また、情報端末１０は、オペレーティングシステムや別のアプリケーションプログラム等の他のプログラムを備える場合がある。この場合、情報端末１０の備える他のプログラムを活用するために、その情報端末１０が備えるプログラムの中から、上述した実施形態と同等の処理を実現するプログラムを呼び出すような命令を含むプログラムを、記録媒体に記録するようにしてもよい。
【０１２８】
さらに、このようなプログラムは、記録媒体の形ではなく、ネットワークを通じて搬送波として頒布することも可能である。ネットワーク上を搬送波の形で伝送されたプログラムは、情報端末１０に取り込まれて、このプログラムを実行することにより上述した実施形態を実現することができる。
【０１２９】
また、記録媒体にプログラムを記録する際や、ネットワーク上を搬送波として伝送される際に、プログラムの暗号化や圧縮化がなされている場合がある。この場合には、これら記録媒体や搬送波からプログラムを読み込んだ情報端末１０は、そのプログラムの復号や伸張を行った上で、実行する必要がある。
【０１３０】
さらに、上述した各処理はソフトウェアではなくＡＳＩＣ（Application Specific IC）などのハードウェアにより実現することもできる。
【図面の簡単な説明】
【０１３１】
【図１】第１実施形態に係る情報端末の外観斜視図の一例を示す図。
【図２】図１に示す情報端末の内部構成の一例を示すブロック図。
【図３】図１に示す情報端末のタッチパネルに表示されるイコライザ設定画面の一例を示す図（ノーマルモード）。
【図４】図１に示す情報端末のタッチパネルに表示されるイコライザ設定画面の設定値の一例を示す図。
【図５】図４に示すイコライザ設定画面から枠をプラス方向に移動した後のイコライザ設定画面の一例を示す図。
【図６】図４に示すイコライザ設定画面から枠をマイナス方向に移動した後のイコライザ設定画面の一例を示す図。
【図７】図６に示すイコライザ設定画面の設定値から、中音域の設定値をプラス方向に移動した後のイコライザ設定画面の一例を示す図。
【図８】イコライザ設定画面における枠の描画位置の算出手法の一例を示す図。
【図９】図１に示す情報端末のタッチパネルに表示されるイコライザ設定画面の一例を示す図（ロックモード）。
【図１０】図１に示す情報端末のタッチパネルに表示されるイコライザ設定画面の一例を示す図（クラシックモード）。
【図１１】図１の情報端末で実行されるイコライザ設定メイン処理の内容を説明するフローチャートを示す図。
【図１２】図１１における枠の移動処理の内容を詳細に説明するフローチャートを示す図。
【図１３】図１１におけるポイントの移動処理の内容を詳細に説明するフローチャートを示す図。
【図１４】図１１におけるモード処理の内容を詳細に説明するフローチャートを示す図。
【図１５】第２実施形態に係る情報端末の外観斜視図の一例を示す図。
【図１６】図１５に示す情報端末の内部構成の一例を示すブロック図。
【図１７】図１５に示す情報端末のタッチパネルに表示されるイコライザ設定画面の一例を示す図（ノーマルモード）。
【図１８】図１５に示す情報端末のタッチパネルに表示されるイコライザ設定画面の設定値の一例を示す図。
【図１９】図１８に示すイコライザ設定画面から枠をプラス方向に移動した後のイコライザ設定画面の一例を示す図。
【図２０】図１８に示すイコライザ設定画面から枠をマイナス方向に移動した後のイコライザ設定画面の一例を示す図。
【図２１】図２０に示すイコライザ設定画面の設定値から、中音域の設定値をプラス方向に移動した後のイコライザ設定画面の一例を示す図。
【図２２】図１５の情報端末で実行されるイコライザ設定メイン処理の内容を説明するフローチャートを示す図。
【符号の説明】
【０１３２】
１０  情報端末
２０  表示画面
３０  ＣＰＵ
３２  ＲＯＭ
３４  ＲＡＭ
３６  ハードディスクドライブ
３８  ビデオデコーダ
４０  デジタル音声信号処理部
４２  デジタルボリューム
４４  デジタル／アナログコンバータ
４６  音声増幅器
５０  スピーカ出力端子
５２  ヘッドホン出力端子
５４  ライン出力端子
Ｂ１０  電源ボタン
Ｂ１１  決定ボタン
Ｂ１２  キャンセルボタン
Ｂ１３  上側設定移動ボタン
Ｂ１４  下側設定移動ボタン
Ｂ１５  右側設定移動ボタン
Ｂ１６  左側設定移動ボタン
【図１】
2007195120.tif 000003
【図２】
2007195120.tif 000004
【図３】
2007195120.tif 000005
【図４】
2007195120.tif 000006
【図５】
2007195120.tif 000007
【図６】
2007195120.tif 000008
【図７】
2007195120.tif 000009
【図８】
2007195120.tif 000010
【図９】
2007195120.tif 000011
【図１０】
2007195120.tif 000012
【図１１】
2007195120.tif 000013
【図１２】
2007195120.tif 000014
【図１３】
2007195120.tif 000015
【図１４】
2007195120.tif 000016
【図１５】
2007195120.tif 000017
【図１６】
2007195120.tif 000018
【図１７】
2007195120.tif 000019
【図１８】
2007195120.tif 000020
【図１９】
2007195120.tif 000021
【図２０】
2007195120.tif 000022
【図２１】
2007195120.tif 000023
【図２２】
2007195120.tif 000024